(57)【要約】      （修正有）【課題】保護バイザーを昇降する昇降機構を有する保護ヘルメットであって、保護バイザー自体が簡単かつ構造上複雑ではない方法で複数の軸の周りを回動移動する又は効果的に回動することを可能にする昇降機構を有する保護ヘルメットを提供する。【解決手段】昇降機構は前記外側シェルと一体であり、レバー本体１８の支持部と結合する中間円盤状要素２８を備える。さらに、中間円盤状要素２８は、保護バイザー６の昇降中に、中間円盤状要素２８に少なくとも保護バイザー６の円運動を伝えるために、保護バイザー６の少なくとも一つの係止歯７ａに取り外し可能に設けられる設置手段と、前記レバー本体１８の前記支持部の前記少なくとも一つの複数座プロフィールに移動可能にスナップ嵌合するための前記中間円盤状要素２８に少なくとも一体的に回動可能な係合手段と、を備える。【選択図】図２ａ
2017078247.tif 000002
【特許請求の範囲】
【請求項１】
衝撃吸収用の少なくとも一つの内側シェル（３）と、ユーザの顔用の前面開口部（５）を定める少なくとも一つの外側硬質シェル（２）と、少なくとも部分的に前記前面開口部（５）を遮る下降位置と前記前面開口部（５）から非係合の上昇位置との間で少なくとも回動可能な保護バイザー（６）と、保護バイザーを昇降する昇降機構（１０）と、を有する保護ヘルメット（１）であって、前記昇降機構は、
前記外側シェル（２）と一体であり、又は、前記外側シェル（２）の単一片として作られ、又は、外側シェルの一部と一致し、及び、前記前面開口部に対する側部位置に配置される少なくとも一つのベース部材（１１）と、
前記前面開口部（５）に対する近位位置と遠位位置との間で、第一の軸（Ａ−Ａ）の周りを回動するように、かつ、前記第一の軸（Ａ−Ａ）に対して揺動する支持部（２３）を有する、前記外側シェル（２）又は前記ベース部材（１１）に取り付けられるレバー本体（１８）と、ここで、前記支持部（２３）は、更に、前記保護バイザー（６）の対応する側部領域と係止するための係止手段（２１ａ、２１ｂ、２６、２７）を備え、
前記外側シェル（２）又は前記ベース部材（１１）に設けられ、かつ、遠位位置に向かって押圧するためにレバー本体（１８）に作用する弾性復帰手段（３６）と、
前記保護バイザーの前記側部領域と一体であり、かつ、前記レバー本体（１８）の前記係止手段（２１ａ、２１ｂ、２６、２７）と係合するように形成されている一以上の係止歯（７ａ、７ｂ）と、
少なくとも一つのガイドカム（１２）、及び、前記ガイドカム（１２）と係合する従動突起（９）とを備え、
前記少なくとも一つのガイドカム（１２）は、前記少なくとも一つのベース部材（１１）と一体であり、かつ、従動突起（９）は、前記保護バイザー（６）の前記第一の側部領域と一体的に回動するように設けられ、又はこれとは逆に、前記少なくとも一つのガイドカム（１２）は、前記保護バイザー（６）の前記第一の側部領域と一体的に回動するようになっており、かつ、従動突起（９）は、少なくとも一つのベース部材（１１）と一体である、保護ヘルメット（１）であって、
第二の軸（Ｂ−Ｂ）の周りの前記支持部（２３）に対して回動するように、また、前記レバー本体（１８）の前記支持部（２３）と一体的に前記第一の軸（Ａ−Ａ）に対して揺動するように、前記レバー本体（１８）の前記支持部（２３）は、少なくとも一つの複数座プロフィール（２４）を備え、更に、前記昇降機構（１０）は、前記レバー本体（１８）の前記支持部（２３）と結合する中間円盤状要素（２８）を備え、更に、
前記中間円盤状要素（２８）は、保護バイザー６の昇降中に、前記中間円盤状要素（２８）に少なくとも前記保護バイザー（６）の円運動を伝えるために、前記保護バイザー（６）の少なくとも一つの前記係止歯（７ａ、７ｂ）の一つを取り外し可能に設ける設置手段（２９ａ、２９ｂ）と、前記少なくとも一つの複数座プロフィール（２４）に移動可能にスナップ嵌合する前記中間円盤状要素（２８）に少なくとも一体的に回動可能な係合手段（３１、３２、３３）とを備えることを特徴とする保護ヘルメット（１）。
【請求項２】
保護バイザー（６）の昇降機構（１０）は、前記ベース部材（１１）に接続する前記レバー本体（１８）及び前記中間円盤状要素（２８）を軸方向に保持するためのピン（３４）及び／又は取り付けブッシュ（３５）を備え、前記レバー本体（１８）及び前記中間円盤状要素（２８）は、前記レバー本体（１８）及び前記中間円盤状要素（２８）の揺動を可能にするため、前記ピン又は前記取り付けブッシュの通過のための細長いスロット（２２、３０）を備えることを特徴とする請求項１に記載の保護ヘルメット（１）。
【請求項３】
前記レバー本体（１８）が有する前記係止手段（２１ａ、２１ｂ、２６、２７）は、レバー本体に対する保護バイザーの相対回動中に、前記保護バイザー（６）の前記係止歯（７ａ、７ｂ）の少なくとも一つの摺動のために、円形の空間を有する少なくとも一つの筐体（２１ａ、２１ｂ）を備える、請求項１又は２に記載の保護ヘルメット（１）。
【請求項４】
前記保護バイザー（６）のそれぞれの側部領域に前記レバー本体（１８）を係止するための前記係止手段（２１ａ、２１ｂ、２６、２７）は、可逆型であり、かつ、前記保護バイザー（６）の少なくとも一つの係止歯（７ａ）のための少なくとも一つの嵌合座（２１ａ）を備えており、前記少なくとも一つの嵌合座は、手動操作の弾性カーソル（２６、２７）が部分的かつ選択的に閉塞できる入口座（２５）有する、請求項１から３のいずれか１項に記載の保護ヘルメット（１）。
【請求項５】
前記筐体（２１ａ、２１ｂ）は、少なくとも一つの係止歯用の前記少なくとも一つの嵌合座と一致する円形の空間を有する、請求項３又は４に記載の保護ヘルメット（１）。
【請求項６】
前記保護バイザー（６）の前記係止歯（７ａ、７ｂ）の少なくとも一つ（７ａ）は、前記保護バイザー（６）の前記側端部から軸方向内側に突出し、かつ、前記レバー本体（１８）の前記支持部（２３）が有する円形の空間を有するそれぞれの嵌合座、及び/又は、円形の空間を有するそれぞれの筐体におけるセンタリング用にアーチ状肩部（８）を有することを特徴とする請求項１から５のいずれか１項に記載の保護ヘルメット（１）。
【請求項７】
前記レバー本体（１８）は、ピン（３４）によって前記ヘルメットの前記外側シェル（２）に設けられる、請求項１から６のいずれか１項に記載の保護ヘルメット（１）。
【請求項８】
前記中間円盤状要素（２８）が有するスナップ嵌合用の前記係合手段（３１、３２、３３）は、それぞれの放射状ガイド部（３１）及び少なくとも一つのピストン（３２）に作用するスラストバネ（３３）の範囲内で摺動する少なくとも一つのピストン（３２）を備えることを特徴とする請求項１から７のいずれか１項に記載の保護ヘルメット（１）。
【請求項９】
前記レバー本体（１８）の前記支持部（２３）は、略円形のベースを有する管形状を成し、前記中間円盤状要素（２８）は、前記管状支持部（２３）に少なくとも部分的に収容される、請求項１から８のいずれか１項に記載の保護ヘルメット（１）。
【請求項１０】
前記ベース部材（１１）は、前記外側シェル（２）から分離して製造され、かつ、前記中間円盤状要素（２８）の少なくとも一部のための略円形の筐体（１３）を備え、前記筐体（１３）は、外側に前記ガイドカム（１２）を有することを特徴とする請求項１から９のいずれか１項に記載の保護ヘルメット（１）。
【請求項１１】
前記弾性復帰手段は、コイルバネ（３６）を備える、請求項１から１０のいずれか１項に記載の保護ヘルメット（１）。
【請求項１２】
前記少なくとも一つの複数座プロフィールが連続歯（１７）である、請求項１から１１のいずれか１項に記載の保護ヘルメット（１）。
【請求項１３】
防眩タイプの第二のバイザー（６ｂ）を備えることを特徴とする請求項１から１２のいずれか１項に記載の保護ヘルメット（１）。
【請求項１４】
前記第二のバイザー用の手動操作レバー（３７）を備えることを特徴とする請求項１３に記載の保護ヘルメット（１）。
【請求項１５】
前記保護ヘルメット（１）の前記前面開口部（５）の両側に配置される、請求項１から１４のいずれか１項に記載の前記保護バイザー（６）を昇降する二つの昇降機構（１０）を備えることを特徴とする請求項１から１４のいずれか１項に記載の保護ヘルメット（１）。
【発明の詳細な説明】
【技術分野】
【０００１】
本発明は、例えば、モーターサイクルの分野で用いられる保護ヘルメットに関し、特に、乗員室のない車両で、それぞれのメカニズムにより、衝撃吸収用の少なくとも一つの内側シェルと、ユーザ顔用の前面開口部を定める外側硬質シェルと、この前面開口部に対して昇降可能なバイザーとを備えるヘルメットに関する。
【０００２】
より詳細には、本発明は、例えば発泡スチロール製の衝撃吸収用内側シェルと、フォームラバー製の下地パッドと、繊維又はポリカーボネート製の硬質の外側シェルと、外側シェルに設けられ、少なくとも前面開口部の一部を覆う下降位置と、前面開口部に対して非係合となる上昇位置との間で、回動させることができる昇降機構を備える透明のポリカーボネート製の少なくとも一つの保護バイザーとを有する保護ヘルメットに関する。
【背景技術】
【０００３】
特に、オートバイ用、又は一般のモータリング用に、ヘルメットの前面開口部に対する保護バイザーを昇降させる昇降機構付きの保護ヘルメットは公知であり、この昇降機構は、保護バイザーがヘルメットの前面開口部を囲む外側シェル又はシールの近くにあるか、又は、離れているかに応じて、ヘルメットの外側シェルに対し、バイザーを支持軸の周りに回動させたり、移動させたりしうるようになっている。
【０００４】
これは、バイザーが、完全に降下したとき、確実に、外側シェル近くに位置し、かつ、その位置において、前面開口部を区切るシールに付着することができる。同時に、バイザーが、前面開口部を部分的に遮るような中間位置に上昇するとき、そのバイザーとシールとの間隙によって、ヘルメットの内部へ適量の空気を確実に流入させることができる。更に、バイザーを上限まで上昇させて、外側シェルに近接して保持させることができ、そのため、車両運転時の衝撃発生につながる気流の量を減少させることができる。
【０００５】
さらに、この昇降機構は、バイザーを、完全な下降位置において、前面開口部を囲む外側シェルの端部と同一面とすることができ、同時に、この昇降機構によって、保護バイザーを前面開口部から離すように、容易に持ち上げることができる。
【０００６】
以下、簡略化のために、ヘルメットの保護バイザーが、完全に又はほぼ完全に、ヘルメットの前面開口部をカバーするとき、その保護バイザーは、十分に下降位置にあるとし、反対に、前面開口部とまったく、又は、ほとんど干渉しないとき、保護バイザーは、完全に上昇位置にあるとする。
【０００７】
特許文献１（出願人：イーディーシー（ＥＤＣ））は、オートバイヘルメットの保護バイザーの昇降機構について記載している。この機構は、保護バイザーが、少なくとも完全な下降位置で、ヘルメットの外側シェルに近づかせ、かつ、中間上昇位置で、その外側シェル自体から遠ざかるように、略楕円軌道に従って、バイザーを回動・並進運動をさせるようになっている。実際には、この機構は、バイザーが、その完全下降位置で、外側シェルに密接し、かつ上昇位置で、外側シェルから離間させるため、適切に設計された四つのバーリンクにより、保護バイザーの側端部を、ヘルメットの外側シェルに支持させるようになっている。
【０００８】
しかし、この機構は、非常に効果的ではあるが、構造は複雑であり、かつヘルメットの全体的な形状が変化した場合、昇降機構による保護バイザーの運動の柔軟性が不十分である。実際、昇降機構による保護バイザーの運動は、４本のバーリンクの形状、及び各クランクの寸法を変更することによってのみ変更させることができる。
【０００９】
特許文献２（出願人：ショウエイ（ＳＨＯＥＩ））は、保護バイザーがヘルメットの前面開口部に対して前後に移動できるように、かつ、保護バイザーの側端部を回動可能に支持するように、ヘルメットの外側シェルにおいて、前面開口部の両側に固定されるベース部材、及び、そのベース部材に設けられる可動体を提供するオートバイ保護ヘルメットの保護バイザーを昇降する昇降機構に関する。保護バイザー又はベース部材とそれぞれ一体とされているカム又は関連従動部、又はこれとは逆に、ベース部材又は保護バイザーとそれぞれ一体化されているカム又は関連従動部は、保護バイザーが、上昇時に、外側シェルに近づくか、又は、外側シェルから離れるように制御して移動させるようになっている。
【００１０】
著しい構造上の複雑さによって影響を受けるとしても、保護バイザーの移動と回動との複合作動を簡単に行わせることができるこの解決策は、カムのプロフィールを単に変更するだけで、保護バイザーの運動の法則をある程度変化させることができるため、異なる形状の保護ヘルメットに対し、効率的かつ顕著に適応させることができる。
【００１１】
特許文献３（出願人：ケイアイディオー（ＫＩＤＯ））は、歯状のガイドプロフィールを有し、かつ、レバー本体が枢着され、保護バイザーの側端部に係止する係止手段を有するヘルメットの前面開口部の側部領域で、ヘルメットの外側シェルと一体の少なくとも一つのベース部材を備える保護ヘルメットの保護バイザーを昇降させる昇降機構に関する。レバー本体は、ベース部材とレバー本体との間に介在する復帰バネによって、休止位置に押し込まれる。歯状のガイドプロフィールの形状に応じて、及び復帰バネによって与えられる抵抗に打ち勝って、保護バイザーの昇降中に、保護バイザーの回動により、レバー本体がベース部材に対して揺動させ、かつ保護バイザーがヘルメットの外側シェルから離れ又は近づくように移動させることの両方を引き起こすように、レバー本体に係止する保護バイザーの側端部に在る専用の従動ピンは、ベース部材の歯状のガイドプロフィールと係合する。
【先行技術文献】
【特許文献】
【００１２】
【特許文献１】欧州特許出願公開第０７９７９３５号明細書
【特許文献２】欧州特許出願公開第１８５６９９９号明細書
【特許文献３】韓国公開実用新案第２０−２００３−００４０１９４号公報
【発明の概要】
【発明が解決しようとする課題】
【００１３】
特許文献３に記載の解決策は、構造上簡単で機械的に効率的であるが、歯状のガイドプロフィールの窪みに係合する従動ピンには、バイザーとレバー本体の復帰バネとの両方によって加えられる負荷が常に作用し、そのため、過大な寸法が必要になるという欠点がある。
【００１４】
そのため本発明は、保護バイザーを昇降させる昇降機構を有する保護ヘルメットであって、この昇降機構は、保護バイザーを、簡単な方法で、かつ構造上複雑でない手段で、複数の軸の周りを回動移動させるか、又は効果的に回動することを可能にし、更に、保護ヘルメットの幾何学的変更に容易に適応することを可能にする昇降機構を有する保護ヘルメットを具現させることを課題としている。
【００１５】
また、本発明は、保護バイザーを昇降させる昇降機構を備える保護ヘルメットであって、保護バイザーの昇降中に、保護バイザーが保護ヘルメットの外側シェルに近づいたり離れたりするように移動すること、及び、周知の先行技術の欠点を有していないことを可能にする昇降機構を有する保護ヘルメットを提供することを別の課題としている。
【００１６】
更に、本発明は、保護ヘルメットに容易に実装できるようになっている昇降機構によって、保護バイザーの昇降を効果的に操作できる保護ヘルメットを提供することをさらに別の課題としている。
【課題を解決するための手段】
【００１７】
本発明に係る保護ヘルメットは、独立請求項、及び、これに従属する請求項に記載の発明により、様々な課題を解決しうるものである。
【００１８】
本発明に係る保護ヘルメットは、衝撃吸収用の少なくとも一つの内側シェルと、ユーザの顔用の少なくとも一つの前面開口部を有する少なくとも一つの外側硬質シェルと、少なくとも部分的に前面開口部を遮る下降位置と、前面開口部から非係合の上昇位置との間で少なくとも回動しうる保護バイザーと、保護バイザーを昇降させる昇降機構とを備えてなり、その昇降機構は、
・外側シェルと一体であるか、又は外側シェルと同形の単一片として作られ、外側シェルの一部と一致し、かつヘルメットの前面開口部に対する側部位置に配置されている少なくとも一つのベース部材と、
・ヘルメットの前面開口部に対する近位位置と遠位位置との間で、第一の軸の周りを回動するように、更に第一の軸の他端で、第一の軸に対して揺動する略円形の支持部を有する、外側シェル又はベース部材の端部に取り付けられる細長いレバー本体であって、その支持部は、更に、保護バイザーの対応する側部領域に係止するための係止手段を備えているレバー本体と、
・外側シェル及び／又は前記ベース部材に設けられ、かつ遠位位置に向かって押圧するために細長いレバー本体に作用する、コイルバネのような弾性復帰手段と、
・保護バイザーの前記側部領域と一体であり、かつ、細長いレバー本体の係止手段と係合するように形成されている一以上の係止歯と、
・ベース部材と一体であるガイドカムと、保護バイザーの側部領域と一体的に回動するように設けられかつガイドカムと係合するように構成されている従動突起と、又はこれとは逆に、保護バイザーの側部領域と一体的に回動するように設けられているガイドカムと、ベース部材と一体であり、かつガイドカムと係合するように構成されている従動突起とを備えている。
【００１９】
本発明に係る保護ヘルメットは、保護バイザーが、第二の軸の周りの支持部に対して回動するように、またその支持部と一体的な第一の軸に対しても揺動するように、細長いレバー本体の前記支持部は、歯状のプロフィールのような少なくとも一つの複数座プロフィールを備え、さらに、昇降機構は、レバー本体の支持部と結合する、好ましくはレバー本体の支持部に設けられている中間円盤状要素を備えていると有利である。前記中間円盤状要素は、さらに、保護バイザーの昇降中に、中間円盤状要素に少なくとも保護バイザーの円運動を伝えるために、保護バイザーの少なくとも一つの係止歯に取り外し可能に設けられている設置手段と、前記少なくとも一つの複数座プロフィールに移動可能にスナップ嵌合するための中間円盤状要素と少なくとも一体的に回動可能な係合手段とを備えている。
【００２０】
当業者であれば理解しうるように、実質的に二つの平行軸の周りを回動する保護バイザーを昇降させる昇降機構を有する保護ヘルメットにおいて、上記複数座プロフィールによって定められる保護バイザーの昇降における安定した中間位置が、保護バイザーと一体である如何なる要素／構成要素と直接係合することなく得られるという事実により、昇降機構全体のより高い信頼性が、保護バイザーを昇降させる昇降機構の高い有効性と共に達成される。
【００２１】
本発明の好ましい態様においては、保護バイザーを昇降させる昇降機構は、さらに、軸方向に保持するための、すなわち、前記ベース部材と安定して接続するヘルメットの外側シェル、レバー本体、及び中間円盤状要素と直交するか、又は入射する方向を向くピン及び／又は取り付けブッシュを備えることができる。この場合、レバー本体の支持部、従って、中間円盤状要素の揺動を可能にするために、レバー本体と中間円盤状要素の両方ともが、このピン又は取り付けブッシュを通過させるための細長いスロットを備えている。
【００２２】
本発明の特定の実施形態では、保護バイザーのそれぞれの側部領域におけるレバー本体を係止するための係止手段は、可逆型であり、かつ、保護バイザーの少なくとも一つの係止歯のための少なくとも一つの嵌合座を備えている。特に、この嵌合座は、手動操作の弾性カーソルにより、部分的かつ選択的に閉塞しうる入口を有しているのがよい。
【００２３】
更に、本発明の別の好ましい態様においては、保護バイザーの前述の係止歯のうちの少なくとも一つは、それぞれの嵌合座におけるセンタリングのためにアーチ状肩部を有しているのがよく、それぞれの嵌合座は、アーチ形であってもよいし、或いは、レバー本体の支持部が設けられている円形の空間を有していてもよい。
【００２４】
本発明のさらなる態様によると、中間円盤状要素が有するスナップ嵌合用の係合手段は、それぞれの放射状ガイド部、及びピストンに作用するスラストバネの範囲内で双方向に摺動しうる少なくとも一つのピストンを備えている。
【００２５】
本発明の好ましい実施形態では、保護ヘルメットは、さらに、手動操作レバーによって昇降させうる第二の防眩バイザーを備えている。
【００２６】
以下、添付図面を参照して、本発明の様々な態様を、単なる例として、かつ、如何なる限定を付すことなく、詳細に説明する。
【図面の簡単な説明】
【００２７】
【図１】本発明の特定の態様による、保護バイザーを昇降させるための昇降機構を備える保護ヘルメットの側面図である。
【図２ａ】本発明の好ましい態様による、図１の保護ヘルメットの各部材の分解斜視図である。
【図２ｂ】図１に示す保護ヘルメットの保護バイザーの側部の拡大斜視図である。
【図３】図１のヘルメットの昇降機構を外側から見た、すなわち、保護ヘルメットのシェルに昇降機構が取り付けられた側から見た分解斜視図である。
【図４】図１のヘルメットの昇降機構を、内側から、すなわち、図３とは反対側から見た分解斜視図である。
【図５ａ】図１から図４に示す昇降機構上の保護バイザーの側部を示す模式的な断面図である。
【図５ｂ】図１から図４に示す昇降機構上の保護バイザーの側部の組立を示す模式的な断面図である。
【発明を実施するための形態】
【００２８】
添付図面に示す、好ましくはオートバイ、スノーモービルなどの乗員室のない車両での使用に適する本発明に係る保護ヘルメット１は、ユーザに快適なヘルメット１を作るのに適する、ポリカーボネート、ガラス繊維又はケブラー製の外側硬質シェル２と、発泡スチロールなどの衝撃吸収材料からなる下地内側シェル３と、内側シェル３の下に配置されたフォームラバー製のパッド４とを備えている。
【００２９】
衝撃吸収用の内側シェル３及び外側硬質シェル２は、ヘルメット１のユーザの顔、特に目の覆われていない部分を残し、かつ、少なくとも回動するようにヘルメットの外側シェル２に設けられる通常透明な保護バイザー６によって少なくとも部分的に覆われる、保護ヘルメット１の少なくとも一つの前面開口部５を備えている。
【００３０】
通常は、ポリカーボネートなどのポリマー材料からなる保護バイザー６は、保護バイザー６を昇降させる昇降機構１０によって、保護ヘルメット１の外側シェル２に設けられている。この昇降機構は、少なくとも部分的に、好ましくは完全にヘルメット１の前面開口部５を遮断する位置と、完全に又はほぼ完全に、前面開口部５とは非係合の位置との間で、保護バイザー６を昇降させるようになっている。周知のように、保護バイザー６による遮断位置は、完全な下降位置と一致し、その非係合位置は、保護バイザー６の完全な上昇位置に相当する。
【００３１】
本発明の特定の態様によると、以下でよく理解しうるように、保護ヘルメット１の昇降機構１０は、保護バイザー６が、可逆的に保護ヘルメット１に係止したり、保護ヘルメット１から外れるだけではなく、保護バイザー６の他の動き、特に、保護ヘルメット１の外側シェル２に対して向かったり離れたりさせることができるようになっている。
【００３２】
前面開口部５の一方の側に位置する外側シェル２の少なくとも一つの領域において、好ましくは前面開口部５の両側に位置する外側シェル２の各領域において、昇降機構１０は、外側シェル２と一体をなすベース部材１１を備えている。ベース部材１１が外側シェル２と一体となっている場合、保護バイザー６の回動軸に対して横方向に、好ましくは直角に延びる湾曲した突起からなり、かつ、突起が立ち上がる湾曲した表面に対する上昇部、又は凹部を有するガイドカム１２を備えている。
【００３３】
図から分かるように、ガイドカム１２は、ベース部材１１に対応する保護バイザー６の側端部が有する従動突起９と係合するようになっている。一般に、ベース部材１１と一体であるガイドカム１２は、間接的にでも、保護バイザー６と一体的に回動するように、保護バイザー６に設けられている従動突起９と係合することができる。それとは別に、従動突起９を、ベース部材１１と一体とすることができ、かつ、保護バイザー６と一体的に回動するように、ガイドカム１２を保護バイザー６に設けることもある。
【００３４】
より具体的には、このベース部材１１は、円筒形状を有する略円形の筐体１３を備えている。筐体１３には、リベット３４又はねじ手段によって外側シェル２にベース部材１１を固定するために穴１４が設けられ、その外壁に、前記ガイドカム１２が設けられている。
【００３５】
本明細書で示すベース部材１１の実施形態では、後で分かるように、ベース部材１１は、昇降機構１０におけるレバー本体１８の端部１９と係合しうる凹部１５を備えている。
【００３６】
必要に応じて、保護ヘルメット１が第二の防眩バイザー６ｂも備えている場合、筐体１３の、その内側部に、湾曲した連続歯１７を設けることもある。これにより、防眩バイザー６ｂは、連続歯１７と結合され、かつ、防眩バイザー６ｂと又は防眩バイザー６ｂを操作するレバー３７と回動的に一体となる従動スナップ嵌合によって、安定した位置となることができる。
【００３７】
保護ヘルメット１の外側シェル２から分離した、例えば、高分子体として製造されたベース部材１１を示してあるが、ベース部材１１の他の実施形態として、前記ガイドカム１２を有する限り、外側シェル２の一片として、例えば、外側シェル２を成形して製造しても、本明細書で要求される保護範囲内に入ることに留意するべきである。
【００３８】
上述のように、保護バイザー６を昇降させる昇降機構１０は、更に、略円形のベースを有する凹面管状体の支持部２３と、端部に枢軸孔２０を有する放射状延長部１９とから成る細長いレバー本体１８を備えている。
【００３９】
特に、レバー本体１８は、枢軸孔２０を通じて、外側シェル２及び／又はベース部材１１に回動可能に支持されるように成形される。それによって支持部２３は、支持部２３が前面開口部５に近い近位位置と、支持部２３が前面開口部５から離れた遠位位置との間で、枢軸孔２０の軸と一致する第一の軸Ａ−Ａに対し、かつ、外側シェル２の表面とほぼ直交して揺動しうるようになる。
【００４０】
本発明の好ましい実施形態では、レバー本体１８は、更に、弾性的に変形可能で、枢軸孔２０と対向する端部に位置する突起４２を備えている。突起４２は、昇降機構１０の組立時に、レバー本体１８とベース部材１１との軸方向の位置を定めるために、ベース部材１１に設けられて、軸方向に保持する保持壁４３と、円周方向に摺動しうるようにして係合する。
【００４１】
本明細書に記載されている本発明の特定の実施形態では、レバー本体１８は、ベース部材１１の凹部１５にあるピン１６によってベース部材１１に枢着されていることに留意するべきである。凹部１５は、レバー本体１８の、したがって、支持部２３の軸Ａ−Ａの周りに、例えばレバー本体１８の放射状延長部１９と係合する格納壁によって、揺動の最大角度範囲を定めることもできる。もちろん、支持部２３が、ヘルメット１の前面開口部５に対して前記二つの遠位位置と近位位置との間で、軸Ａ−Ａの周りを回動することを可能にするように、レバー本体１８が揺動しうるようにする如何なる他の機械装置を、代替的に採用することができる。
【００４２】
前記レバー本体１８は、ベース部材１１とレバー本体１８との間、又は外側シェル２とレバー本体１８との間に介在されているコイルバネ３６等の弾性手段により、弾性力を受けている。この弾性手段は、軸Ａ−Ａの周りを揺動するレバー本体１８を、その遠位位置、すなわち、保護ヘルメット１の前面開口部５から更に離れた位置に戻す。
【００４３】
上述のように、本発明の特定の態様によると、レバー本体１８の支持部２３は、略円形のベースを有する、円筒状の側壁を備え、最上部に外側円形のベースを有する凹面管状体として作られている。この外部支持部２３の基部に、円弧状に成形された二つの嵌合座２１ａ、２１ｂが設けられ、保護バイザー６の対応する端部に設けられている係止歯７ａ、７ｂとそれぞれ嵌合する。嵌合座２１ａ、２１ｂは、円形の空間を有する筐体として成形され、かつ、保護バイザー６が、第二の軸Ｂ−Ｂの周りをレバー本体１８に対して回動できるようにしている。第二の軸Ｂ−Ｂは、前記の嵌合座２１ａ、２１ｂとほぼ直交し、かつ嵌合座又は筐体２１ａ、２１ｂが位置する理想的な円の中心を通る。それによって、対応する係止歯７ａ、７ｂが、レバー本体１８に対する保護バイザー６の回動中に、更に、摺動しうるようになっている。
【００４４】
上述のように、一旦レバー本体１８に係止した保護バイザー６は、レバー本体１８の支持部２３に対して、嵌合座２１ａ、２１ｂによって定められる軸Ｂ−Ｂの周りで回動することができ、かつ、同じレバー本体１８がベース部材１１に枢着している枢着軸Ａ−Ａに対して、レバー本体１８と一体的に回動することもできる。
【００４５】
本明細書に示される解決策の代わりに、レバー本体１８の支持部２３に、円形の空間を有する少なくとも一つの筐体２１ａ又は２１ｂのみを設け、そこに保持される必要はないが、保護バイザー６の係止歯の少なくとも一つを、この筐体内の相対的な方向に回動しうるようにすることができることに留意するべきである。
【００４６】
当該技術分野で知られており、本発明の好適な実施形態に従い、二つの円弧状の嵌合座２１ａ、２１ｂ又は筐体の各々は、本明細書では「入口座」という名の、それぞれの係止歯７ａ、７ｂのアクセスを可能にする大きな区画を有している。実際には、保護バイザー６のこれらの係止歯７ａ、７ｂのそれぞれは、保護バイザー６の対応する側部領域から軸方向に、即ち、保護バイザー６の回動軸方向に延び、かつ、略Ｌ字状のプロフィールを有している。そのため、係止歯７ａ又は７ｂは、「Ｌ」の端部の進入を可能にする開口部、即ち、より大きな区画がある場合にのみ、それぞれの嵌合座２１ａ又は２１ｂに結合できる。
【００４７】
係止歯７ａ、７ｂが保持されるように、可逆的ではあるけれども、これら二つの嵌合座２１ａ、２１ｂの少なくとも一つの嵌合座２１ａは、入口座２５を備えている。入口座２５は、入口座２５と係合するように、保護バイザー６の回動軸に対して直交する方向に摺動するカーソル２６によって、部分的かつ選択的に閉塞され、かつバネ２７、又は当該技術分野において周知の他の弾性手段によって押圧されている。
【００４８】
端部で入口座２５と係合するカーソル２６は、係止歯７ａが入口座２５で押圧され、かつ、入座することを助けるためのテーパー部を有し、更に、バネ２７によって加えられる力に対抗するために、ユーザが手で操作しうる操作部を備えている。
【００４９】
したがって、嵌合座２１ａ、２１ｂは、係止歯７ａ、７ｂが可逆的に嵌合座２１ａ、２１ｂに係合して保持されるそれぞれの入口座と共に、かつ、必要に応じて、弾性カーソル２６、２７、又は他の既知の手段と共に、保護バイザー６のそれぞれの側部領域にレバー本体１８を係止する可逆的係止手段を構成している。
【００５０】
上記に例示した解決策の代わりに、軸Ｂ−Ｂとほぼ平行な軸Ａ−Ａの周りをレバー本体１８と共に揺動しながら、保護バイザー６をレバー本体１８に可逆的に保持し、かつ、保護バイザー６を、軸Ｂ−Ｂの周りのレバー本体１８に対して回動させることができる他の手段も、本明細書で要求される保護範囲内に含まれることに留意するべきである。これに関して、以下、「係止歯」は、突出又はＬ字型である必要はなく、軸Ｂ−Ｂ周りでレバー本体１８に対して回動し、かつ、軸Ａ−Ａ周りでレバー本体１８と揺動するように、レバー本体１８と係合する幾何学的形状のような保護バイザー６の任意の部分又は要素を意味することに留意するべきである。したがって、このような用語は、例えば、保護バイザー６の側端部から軸方向に突出するキー形の円筒状のスリーブ、又は、保護バイザー６の回動軸Ｂ−Ｂに対して直交する「フォーク状」又は「Ｕ状」のアームを意味している。
【００５１】
レバー本体１８の支持部２３は、保護バイザー６の前述の回動軸Ｂ−Ｂが通る中央スロット２２を備えている。スロット２２の細長い形状により、軸Ａ−Ａの周りを回動するように、かつ同時に、外側シェル２との継手から軸方向に外されないように、支持部２３は、外側シェル２に固定されているリベット３４によって保持されるブッシング３５と係合するように成形され、かつ、レバー本体１８がヘルメット１の外側シェル２に適切に位置するようにしている。
【００５２】
本発明の好ましい態様により、ブッシング３５は、更に、リベット３４と共に、又は、他の任意のピン、又は、必要に応じてネジ付きで外側シェル２に対して軸方向に設けられる細長い要素と共に、ベース部材１１を、リベット３４の係合により、又は、ベース部材１１の略円形の筐体１３が有する上記円形の孔１４を通じて外側シェル２に固定される別の細長い要素と係合することにより、外側シェル２に対し軸方向に固定されるようにする。
【００５３】
本発明の好ましい態様によると、ベース部材１１は、外側シェル２の側端部に設けられている対応するスリットに嵌合できる下部突起部４０ａ、４０ｂ、及び、上部弾性係止歯４１を有し、ベース部材１１は、上記歯４０ａ、４０ｂ及び４１の弾性スナップ嵌合により、一時的及び／又は取り外し可能として、外側シェル２の外側端部に配置されることに留意すべきである。続いて、ベース部材１１は、リベット３４又は他の同様な軸方向の保持手段を用いて、ブッシング３５により、外側シェル２に対して軸方向に固定される。
【００５４】
上述のように、本明細書に開示されているレバー本体１８により、一旦、レバー本体１８に係止した保護バイザー６は、円弧形状の嵌合座２１ａ、２１ｂによって定められる軸Ｂ−Ｂの周りのレバー本体１８の支持部２３に対して回動することができ、かつ、レバー本体１８はベース部材１１に、したがって、外側シェル２に枢着されている軸Ａ−Ａ周りのレバー本体１８と一体的に回動又は揺動することもできる。ブッシング又はピン３５、又は、他の細長い要素、及びブッシング又はピン３５が、レバー本体１８を軸方向に保持するために係合するレバー本体１８のスロット２２も、保護バイザー６が、前記軸Ａ−Ａ及び軸Ｂ−Ｂの両方に対して回動しうるように、すべて成型されている。
【００５５】
本明細書に示されている特定の実施形態では、少なくとも凹面管状体として作られている支持部２３の側壁の内側部分に、後で分かるように、保護バイザー６の昇降中に、保護バイザー６の複数の安定した位置を定めることができ、連続歯のような形状の複数座プロフィール２４が設けられている。特に、本明細書に開示されている実施形態では、支持部２３の内側に、円形の空間を有する嵌合座２１ａ、２１ｂによって定められる回動軸Ｂ−Ｂに対して、直径方向に対向する２つの複数座プロフィール２４が設けられている。
【００５６】
本明細書に開示されている保護ヘルメット１の昇降機構は、更に、支持部２３の上記嵌合座２１ａ、２１ｂによって定められる前記第二の軸Ｂ−Ｂの周りを回動するように、レバー本体１８の支持部２３に結合されるか、又は、設けられるように成型されている中間円盤状要素２８を備えている。
【００５７】
より詳細には、このような中間円盤状要素２８は、軸Ｂ−Ｂの周りを回動し、同時に、軸Ａ−Ａの周りをレバー本体１８と共に揺動できるように、ベース部材１１とレバー本体１８との間に位置するように取り付けられる。特に、中間円盤状要素２８は、レバー本体１８の凹面管状支持部２３に収容される。
【００５８】
本明細書に示される特定の実施形態では、略円形の中間円盤状要素２８は、上記ブッシング３５及びリベット３４と係合する中央の細長いスロット３０と、中間円盤状要素の中心に対して直径方向に対向し、保護バイザー６の対応する側端部のそれぞれの係止歯７ａ、７ｂと係合する二つの空洞２９ａ、２９ｂとを備えている。
【００５９】
空洞２９ａ、２９ｂは、保護バイザー６の係止歯７ａ、７ｂと係合する際、中間円盤状要素２８が、レバー本体１８の支持部２３に対して、及び、保護バイザー６と一体的なベース部材１１に対しても、保護バイザー６が昇降する際、軸Ｂ−Ｂの周りを回動し得るように成形される。従って、空洞２９ａ、２９ｂは、保護バイザー６の係止歯７ａ、７ｂのための取り外し可能な設置手段を形成している。
【００６０】
二つの空洞２９ａ、２９ｂが、保護バイザー６の二つの係止歯７ａ、７ｂと係合する実施形態によって、中間円盤状要素が、本明細書に含まれる場合でも、このような取り外し可能な設置手段の他の如何なる形状のものであっても、保護バイザー６を係止する単一の係止歯、例えば、可逆的保持のための弾性嵌合部品であっても、本発明の変更可能な範囲内であることに留意されたい。
【００６１】
中間円盤状要素２８は、更に、保護バイザー６の昇降中に、中間円盤状要素２８と一体に回動可能な、かつ、レバー本体１８の支持部２３の複数座プロフィール２４の座の少なくとも一つに、その都度可逆的にスナップ嵌合しうるようになっている係合手段３１、３２、３３を備えている。
【００６２】
本明細書においては、「スナップ」とは、それぞれが突起を有する従動要素などの係合手段が、複数座プロフィール２４の座を定める窪み、又は凹部内に係合され、かつ、保持されるという特定の状況を意味していると理解するべきである。このような係合手段は、係合手段及び／又は複数座プロフィール２４の弾性により、このような手段に加えられる適切な大きさ（及び方向）の力が、係合手段及び／又は複数座プロフィール２４の弾性変形又は弾性変位を引き起こすまで、それぞれの座内に安定して保持される。それによって、複数座プロフィール２４の一つの座から他の座への係合手段の通過が可能になる。
【００６３】
本明細書に示されている特定の実施形態では、前述の係合手段は、弾性型であり、中間円盤状要素２８の放射状ガイド部３１の範囲内で摺動するために設けられている少なくとも一つのピストン３２を備え、かつ、それぞれの複数座プロフィール２４と係合するため、中間円盤状要素２８の外側に向けてピストン３２を押圧するバネ３３の力を受ける。
【００６４】
より詳細には、略円形の中間円盤状要素２８は、直径方向に対向する二つの放射状ガイド部３１を有し、二つの放射状ガイド部３１の各々は、放射状ストロークを停止する停止手段又は他の手段により、ピストン３２が放射状ガイド部３１の範囲内で摺動するように、それぞれのピストン３２を収容している。上述のように、各ピストン３２は、結合される複数座プロフィール２４の少なくとも一つ又は二つの隣接する座の中に係合するように成形されている先端部分を出すように、対応するバネ３３によって、中間円盤状要素２８の外側に向けて押圧されている。
【００６５】
軸Ｂ−Ｂ周りの保護バイザー６の回動の、結果として生じる中間円盤状要素２８の回動により、スナップ動作が引き起こされる。すなわち、この中間円盤状要素２８の回動は、ピストン３２がレバー本体１８の支持部２３が有するそれぞれの複数座プロフィール２４の連続する座に、一時的であるが、安定して収容されるように、放射状ガイド部３１内のピストン３２のバネ３３によって加えられる力に一時的に打ち勝つ。当業者には明らかであるように、このように、複数座プロフィール２４の座の数と距離によって定められる安定した複数の角度位置は、ユーザが保護バイザー６を昇降する際に得られる。
【００６６】
最後に、上述のように、保護バイザー６は、本明細書に例示されている昇降機構１０に幾何学的に対応する保護バイザー６の側端部の少なくとも一つに隣接して、本明細書に例示されている本発明の実施形態では、Ｌ字型のプロフィールを有する軸方向の突起で構成されている少なくとも一つの係止歯７ａ、７ｂと、ベース部材１１のカムガイド１２に摺接して係合するために、ピンとして成形され、かつ保護バイザー６に配置されている少なくとも一つの従動突起９とを備えている。
【００６７】
更に、後述するように、本明細書に示す実施形態では、保護バイザー６の係止歯７ａ、７ｂは、レバー本体１８に対して回動しうるように、レバー本体１８の支持部２３の嵌合座２１ａ、２１ｂ（又は、円形の空間を有する筐体）内に摺動的に設けられるように成形され、かつ、軸Ｂ−Ｂ周りの中間円盤状要素２８と一体的に回動しうるように、中間円盤状要素２８の空洞２９ａ、２９ｂと係合するように成形されている。ここで、従動突起９は、ガイドカム１２のプロフィールに応じて、レバー本体１８が軸Ａ−Ａの周りを揺動できるようするため、ガイドカム１２によって正確に決定される運動の法則に従って、ガイドカム１２と係合するように成形される。
【００６８】
特に、本明細書に示されている保護ヘルメット１の実施形態では、ガイドカム１２は、保護バイザー６が完全に下降位置にある場合、従動突起９のための最初の凹部を有するように、その後、この従動突起９のための中間上昇部を有するように、かつ、保護バイザー６が完全に上昇位置に配置される場合、この従動突起９のための更なる最後の凹部を有するように成形されている。ガイドカム１２のこの幾何学的形状は、保護バイザー６を昇降させる昇降機構１０の上記構成と共に、保護バイザー６が完全に下降位置に、又は、完全に上昇位置にある場合、バネ３６の復帰作用により、レバー本体１８が遠位位置に配置されることを可能にし、かつ、保護バイザー６が両極端の間の中間位置、例えば、複数座プロフィール２４によって決定される安定した位置にある場合、レバー本体１８が代わりに近位位置に配置されることを可能にする。
【００６９】
本明細書に例示されていない本発明の実施形態として、前記従動突起を、保護バイザー６と一体的に回動する中間円盤状要素２８上に、例えば、中間円盤状要素２８の円形の側壁から突出するようにして、成形してもよく、その結果、それぞれのガイドカム１２を、ベース部材１１の円形の筐体１３の内側壁に形成してもよいことに留意するべきである。
【００７０】
更に、本発明の好ましい態様によれば、係止歯７ａ、７ｂの少なくとも一つの歯７ａは、保護バイザー６の側端部の内壁から直角に突出している。すなわち、軸方向かつ内向きに保護バイザー６の少なくとも一つの側端部の内壁から突出している。更に、対応する嵌合座２１ａ、２１ｂ、又は、レバー本体１８の支持部２３の円形の筐体内に、係止歯７ａのセンタリングを容易にするように成形されるアーチ状肩部８が設けられる。これらのアーチ状肩部８は、係止歯７ａの全体高さの限られた部分に沿って、保護バイザー６の側端部の内面から突出している。
【００７１】
以上の説明を読むことによって、当業者であれば、係止歯７ａにあるアーチ状肩部８を有する高さ制限された突起により、レバー本体１８の座２１ａ、２１ｂ及び２５を結ぶ径方向に沿って、保護バイザー６の自由な直線移動を阻止することができる。これらの突起がなければ、偶発的でさえ、この方向での保護バイザー６の並進運動によって、カーソル２６がバネ２７によって加えられる力に打ち勝って移動するおそれがあり、かつ、保護バイザー６が不必要に昇降機構１０から分離するおそれがある。一方、アーチ状肩部８の側部突起により、昇降機構１０の平面内における保護バイザー６の唯一の許容される運動は、その平面に直交する回動軸Ｂ−Ｂ周りの回動である。
【００７２】
最後に、本発明の保護ヘルメット１は、ヘルメット１のユーザが、手動で操作しうる防眩バイザー６ｂ（すなわち、光線から保護するため）を備えることもできる。防眩バイザー６ｂは、ベース部材１１に回動自在に取り付けられ、かつ、防眩バイザー６ｂに運動学的にリンクされるレバー３７により、ユーザの目に対して昇降可能とされる。
【００７３】
本発明の好ましい態様として、保護ヘルメット１に、保護バイザー６を昇降させる二つの昇降機構１０を設けることが想起される。これら二つの機構は、ヘルメット１の前面開口部５の両側にそれぞれ配置され、二重の回動軸（Ａ−Ａ及びＢ−Ｂ）を有し、かつ、互いにほぼ同一である。
【００７４】
本明細書に例示されている保護バイザー６を昇降させる昇降機構１０を前面開口部５の各側部に有する保護ヘルメット１は、図５ａ及び図５ｂに示すように、次のように動作する。
【００７５】
保護バイザー６が昇降機構１０から、従って、外側シェル２から分離されている保護ヘルメット１の構成から始まると、第一に、保護バイザー６は、昇降機構１０に取り付けられなければならない。この点について、保護バイザー６は、それぞれの側部毎に、レバー本体１８の支持部２３の嵌合座２１ａ、２１ｂの入口座で、又は、円形の空間を有する筐体の入口座で、係止歯７ａ、７ｂを位置するように、初めに、完全に上昇位置に配置されなければならない。実際には、保護バイザー６が完全に上昇位置にある場合、嵌合座２１ａ、２１ｂの入口座は、幾何学的に係止歯７ａ、７ｂと一致するように成形され、かつ、係止歯７ａが入口座２５と係合するため、嵌合座２１ａの入口座２５は、入口座２５でテーパー状の端部を有するカーソル２６によって少なくとも部分的に閉塞され、かつ、バネ２７によって弾性的に押圧されることに留意されたい。
【００７６】
昇降機構１０に対して、保護バイザー６を傾け、持ち上げ、適切に押すことにより、対応する嵌合座２１ｂの空いている入口座に係止歯７ｂを挿入した後、係止歯７ａを弾性的カーソル２６によって部分的に塞がれる嵌合座２１ａの入口座２５に挿入する。この時点で、回動軸Ｂ−Ｂとほぼ直交する方向に弾性カーソル２６の一時的な変位を生じさせるため、係止歯７ａを弾性カーソル２６のテーパー状の端部に対して軸方向、すなわち、保護バイザー６の回動軸Ｂ−Ｂの方向に押すだけでよい。これにより、レバー本体１８の嵌合座２１ａの入口座２５を空にし、嵌合座２１ａに係止歯７ａは挿入される。
【００７７】
昇降機構１０に保護バイザー６を係止するために、このような係止ステップのある時点で、係止歯７ａにあるアーチ状肩部８の高さの制限された突起は、係止歯７ａの側部突起と幾何学的に一致するように正確に成形された嵌合座２１ａでレバー本体１８に到達し、通り過ぎる。その後、軸方向に突出し、Ｌ字型のプロフィールを有する係止歯７ａ、７ｂの構成は、レバー本体１８の支持部２３の円形空間をした嵌合座２１ａ、２１ｂにおいて、カーソル２６の弾性的復帰、従って、係止歯７ａ、７ｂの保持を可能にする。
【００７８】
係止歯７ａの基部における上記アーチ状肩部８の存在は、円形空間を有する嵌合座２１ａ内の係止歯７ａのセンタリングを容易にし得ることに留意するべきである。その上、バネ２７に押圧される弾性カーソル２６が、一旦、その通常の位置に戻ると、アーチ状内壁部と直交する突出肩部８及び突起７ａ、７ｂを通じて保護バイザー６の側端部に作成された継手、及び、昇降機構１０のレバー本体１８は、対応する嵌合座２１ａ、２１ｂを通じて、保護バイザー６の側端部が主に軸Ｂ−Ｂの周りを回動することを可能にする。
【００７９】
この設置と同時に、嵌合座２１ａ、２１ｂに挿入された係止歯７ａ、７ｂは、中間円盤状要素２８の空洞２９ａ、２９ｂに到達し、かつ、その中に係合する。従って、上記嵌合座２１ａ、２１ｂによって定められた回動軸Ｂ−Ｂの周りを一体的に回動するように、保護バイザー６及び中間円盤状要素２８が互いに拘束される。その上、一旦、バネ２７に押圧される弾性カーソル２６が、その通常の位置に戻ると、アーチ状内壁部と直交する突出肩部８及び突起７ａ、７ｂを通じて保護バイザー６の側端部に作成された継手、及び、対応する嵌合座２１ａ、２１ｂを通じて昇降機構１０のレバー本体１８は、保護バイザー６の側端部が主に軸Ｂ−Ｂの周りを回動することを可能にする。
【００８０】
更に、上記と同時に、保護バイザー６の側端部の従動突起９は、昇降機構１０のベース部材１１のガイドカム１２に対して当接するように動き、かつ、そのガイドカム１２と結合する。
【００８１】
このように、保護バイザー６の他の側端部に対して同じ操作を繰り返すことによって、保護バイザー６は、軸Ｂ−Ｂ周りの中間円盤状要素２８と一体的に、かつ、レバー本体１８に対して一体的に回動し得るように、同時に、レバー本体１８の支持部２３と共に、異なる軸Ａ−Ａ、この場合、レバー本体１８が回動するピン１６の軸、の周りのベース部材１１に対して、揺動できるように、昇降機構１０に設けられる。この揺動は、ユーザが操作するバイザー６の昇降中に、従動突起とベース部材１１のガイドカム１２との係合によって制御される。
【００８２】
より具体的には、昇降機構１０において保護バイザー６の組立後、レバー本体１８で作用する復帰バネ３６と共に、保護バイザー６の上昇位置で従動突起９と凹部を有するガイドカム１２との係合は、レバー本体１８の支持部２３が、外側シェル２に対して保護バイザー６が極めて近位位置にあることに対応する保護ヘルメット１の前面開口部５から遠位位置に配置される事実により、この保護バイザー６は、外側シェル２の前面開口部５に対して上部、かつ、完全に上昇位置にある。
【００８３】
保護バイザー６の完全な上昇位置から始まり、ユーザが保護バイザー６に加えた下向きの回動は、上述のように、中間上昇部を有するガイドカム１２の形状により、かつ、復帰バネ３６の力に打ち勝って、レバー本体１８の支持部２３が、保護ヘルメット１の前面開口部５に対し近位位置に向けて軸Ａ−Ａの周りを揺動するようにし、同時に、中間円盤状要素２８と一体的に、レバー本体１８に対して、第二の軸Ｂ−Ｂの周りで保護バイザー６の同時回動を生じさせる。したがって、保護バイザー６の完全上昇位置からその下降する間の所与の初期角度スパンを通じて、第二の軸Ｂ−Ｂ周りの保護バイザー６の回動及び第一の軸Ａ−Ａに対して保護バイザー６の揺動（回動）により、保護ヘルメット１の外側シェル２に対して保護バイザー６の上昇及び回動が達成される。
【００８４】
二つの軸Ａ−Ａ及びＢ−Ｂ周りの回動の間に、ガイドカム１２によって制御される軸Ａ−Ａに対してレバー本体１８の支持部２３の揺動により、保護バイザー６は、保護ヘルメット１の前面開口部の近位位置に向けて外側シェル２に対して上昇し、同時に、レバー本体１８の支持部２３に対して中間円盤状要素２８と共に回動する。
【００８５】
一旦、保護バイザー６の従動突起９が、ガイドカム１２の上昇中間部に達すると、保護バイザー６の回動は、下降時に、通常、第二の軸Ｂ−Ｂの周りでのみ続くことに留意されたい。
【００８６】
中間円盤状要素２８の回動は、保護バイザー６の下降時に、弾性的に操作されるピストン３２が、潜在的に安定しているが、レバー本体１８の支持部２３が有する複数座プロフィール２４の座に突然スナップフィットすることも引き起こす。このようにして、保護バイザー６の一組の安定角の昇降位置は、保護ヘルメット１の前面開口部５に対して定めることができる。
【００８７】
ユーザが、複数座プロフィール２４の座で、保護バイザー６を安定した中間位置に保持したい場合、又は、弾性ピストン３２の係合位置に対応する角度位置で下降を停止したい場合、保護バイザー６に加えられる、重力又は空気力学的な力は、連続歯のような形状の複数座プロフィール２４のそれぞれの座において、ピストン３２の係合によって相殺されること、この相殺作用において、保護バイザー６の如何なる構造要素が関与することなく、そのため、保護バイザー６の各部が大きな力を受けることもないことに留意すべきである。
【００８８】
保護ヘルメット１の前面開口部５との完全な干渉位置に向けて保護バイザー６の下降回動が終了する時に、更なる凹部を有するガイドカム１２の形状は、保護バイザー６の従動突起９との係合により、また、復帰バネ３６により、前面開口部５からその遠位位置に向けて軸Ａ−Ａの周りにレバー本体１８の支持部２３のさらなる揺動を引き起こす。これは、保護バイザー６の完全な降下点において、保護ヘルメット１の外側シェル２に対して、保護バイザー６が、更に接近することになる。
【００８９】
完全な上昇位置に向けて保護バイザー６の上昇は、下降について記載したものに対し逆の方法で行われる。
【００９０】
すなわち、ユーザが保護バイザー６を上昇させたとき、その最初及び最後の上昇ステップにおいて、保護バイザー６は、保護ヘルメット１の外側シェル２から離れ、その後、再び外側シェル２に向けて変位する。従動突起９のガイドカム１２との係合及び揺動によって引き起こされる、外側シェル２に略直交する軸Ｂ−Ｂ周りの通常の回動に加えて、上昇回動の中間ステップにおいて生じる回動の両方の変位は、レバー本体１８の支持部２３のバネ３６の復帰作用を受ける。
【００９１】
最後に、保護ヘルメット１のユーザが、保護バイザー６を昇降機構１０から、従って、外側シェル２から外したい場合、彼／彼女は、この保護バイザー６をまさにその完全上昇位置に配置しなければならない。その後、嵌合座２１ａの入口座２５を完全に空にするため弾性カーソル２６を手動操作によって、この時点で、昇降機構１０の面に略垂直な方向に保護バイザー６を適切に傾け、押し上げ、かつ、引くことによって、係止歯７ａにおいて、第一に、レバー本体の嵌合座２１ａから係止歯７ａにあるアーチ状肩部８の高さ制限された側部突起を取り外すことが可能である。同時に、中間円盤状要素２８の座部２９ａから係止歯７ａの頂部を外し、次いで、嵌合座２１ａの外に係止歯７ａを引き出し、その後、他の嵌合座２１ｂの入口座から他の係止歯７ｂも外すことが可能である。
【００９２】
保護バイザー６の両方の側端部についてこの方法で進めることで、それぞれの昇降機構１０から保護バイザーを取り外すことが容易に可能である。
【００９３】
最後に、昇降機構１０は、実質的に所定の位置にスナップすることによって容易に組み立てることができることに留意すべきである。
【００９４】
この目的のために、それぞれのバネ３３を有するピストン３２は、中間円盤状要素２８にあるそれぞれの放射状ガイド部３１に収容され、保持される。
【００９５】
この中間円盤状要素２８は、対向するピストン３２を部分的に圧縮することによって、次に、中間円盤状要素２８の適当な座にバネ２７を有するカーソル２６を挿入することによって、レバー本体１８の座部２３に挿入される。
【００９６】
この時点で、中間円盤状要素２８は、ベース部材１１の凹部１５にレバー本体１８の端部１９を通す処理をし、かつ、枢軸孔２０にピン１６を係止することによって、ベース部材１１に組み付けられる。続いて、レバー本体１８の対向する端部、すなわち、突起４２を押すことにより、ベース部材に対し、弾性的係合が、突起４２とベース部材１１の筐体１３の保持壁４３との間で得られる。もちろん、レバー本体１８の突起４２及び／又はベース部材１１の保持壁４３は、このような弾性継手を可能にするために弾性的に変形される。このステップでは、カーソル２６がベース部材１１の対向する表面上に留まるように処理する必要があることに留意するすべきである。
【００９７】
最後に、保持壁４３のベース部材上と突起４２のレバー本体上との両方に存在する円筒形の支持部の間にバネ３６を位置決めすることによって、昇降機構１０は、弾性係止部４０ａ、４０ｂ及び４１を通じて得られる一時的な位置決めと、ブッシング３５及びリベット３４による最終固定とによって完全に組み立てられ、かつ、外側シェルの側部に取り付けられる用意のできた状態となる。
【符号の説明】
【００９８】
１  保護ヘルメット
２  外側シェル
３  内側シェル
４  パッド
５  前面開口部
６  保護バイザー
６ｂ  防眩バイザー
７ａ、７ｂ  係止歯
８  アーチ状肩部
９  従動突起
１０  昇降機構
１１  ベース部材
１２  ガイドカム
１３  筐体
１５  凹部
１６  ピン
１７  連続歯
１８  レバー本体
１９  放射状延長部
２０  枢軸孔
２１ａ、２１ｂ  嵌合座
２２  スロット
２３  支持部
２４  複数座プロフィール
２５  入口座
２６  カーソル
２７  バネ
２８  中間円盤状要素
２９ａ、２９ｂ  空洞
３０  スロット
３１  放射状ガイド部
３２  ピストン
３３  バネ
３４  リベット
３５  ブッシング
３６  コイルバネ、復帰バネ、弾性復帰手段
３７  レバー
４０ａ、４０ｂ  下部突起部
４１  上部弾性係止歯
４２  突起
４３  保持壁
Ａ−Ａ  第一の軸
Ｂ−Ｂ  第二の軸
【図１】
2017078247.tif 000003
【図２ａ】
2017078247.tif 000004
【図２ｂ】
2017078247.tif 000005
【図３】
2017078247.tif 000006
【図４】
2017078247.tif 000007
【図５ａ】
2017078247.tif 000008
【図５ｂ】
2017078247.tif 000009
【外国語明細書】
2017078247000001.pdf